(57)【要約】【課題】スプールに回転抵抗を与えるドラグ機構を作動状態から非作動状態に切換える切換機構を設け、リール全体を大型化することなく、十分なドラグ力を発揮することが可能な魚釣用スピニングリールを提供する。【解決手段】魚釣用スピニングリールは、スプール軸３ａに設置され、釣糸が巻回されるスプール３と、ハンドルの巻き取り操作で回転し、スプール３に釣糸を巻回可能とするロータ２と、スプール３とスプール軸３ａとの間に設けられ、スプールをドラグ作動状態とフリー状態に切換える切換機構３０と、を有する。スプール軸３ａの前端部にスプールフリー状態の回転抵抗力を調整するサブドラグ機構２５のサブドラグノブ２５Ａを配設し、サブドラグノブの径方向外方にドラグ作動状態のドラグ力を調整するメインドラグ機構２０のメインドラグノブ２０Ａを配設したことを特徴とする。【選択図】図１
2009195166.tif 000002
【特許請求の範囲】
【請求項１】
スプール軸に設置され、釣糸が巻回されるスプールと、ハンドルの巻き取り操作で回転し、釣糸案内部を介して前記スプールに釣糸を巻回可能とするロータと、前記スプールとスプール軸との間に設けられ、前記スプールをドラグ作動状態とフリー状態に切換える切換機構と、を有する魚釣用スピニングリールにおいて、
前記スプール軸の前端部にスプールフリー状態の回転抵抗力を調整するサブドラグ機構のサブドラグノブを配設し、前記サブドラグノブの径方向外方にドラグ作動状態のドラグ力を調整するメインドラグ機構のメインドラグノブを配設したことを特徴とする魚釣用スピニングリール。
【発明の詳細な説明】
【技術分野】
【０００１】
本発明は、スプールの回転に抵抗を与えるドラグ機構を設けた魚釣用スピニングリールに関する。
【背景技術】
【０００２】
魚釣用スピニングリールの中には、釣糸が巻回されるスプールに回転抵抗を与えるドラグ機構を、作動状態（スプールに対してドラグ力が作用する状態）と、非作動状態（スプールフリー状態；スプールが完全にフリーになる状態とサブドラグ機構によってドラグ力が作用する状態を含む）とに切換える切換機構を備えたものが知られている。例えば、特許文献１には、切換機構を、スプールとスプール軸との間に設けて、リール本体内における各種駆動機構系統の簡素化を図り、リール本体の小型・軽量化を可能にした魚釣用スピニングリールが開示されている。
【０００３】
この公知技術の切換機構は、スプールの前部中央に押しボタン式の操作部材を設け、この操作部材を後方に向けて押圧操作することで、ドラグ作動状態の連結系統を解除してスプールフリー状態に切換えるよう構成されている。また、ハンドルの回転操作に連動するロータの巻き取り方向の回転によって、スプールフリー状態からドラグ作動状態に復帰させる復帰機構を備えている。
【特許文献１】特開平３−５３８３６号
【発明の開示】
【発明が解決しようとする課題】
【０００４】
しかし、上記した構成では、ドラグ作動状態におけるドラグ力の強弱調整を行うドラグ機構（メインドラグ機構）や、スプールフリー状態におけるスプール回転抵抗力の加減調整を行うサブドラグ機構は、スプール前部中央に設けた押しボタン式の操作部材の径方向外方に、それぞれ配設されているため、十分なドラグ力を維持、発揮できないという問題がある。また、これに対してドラグ力を確保するためには、スプールの前部に相応のドラグ機構の収容、配置スペースが必要となり、スプール全体、つまりリール全体が大型化してしまうという問題が生じてしまう。
【０００５】
さらに、切換機構を構成する押しボタンに近接してドラグ機構、及びサブドラグ機構の操作部が配設されているので、操作時に邪魔になってしまい、調整操作性に劣るという問題がある。
【０００６】
本発明は、上記した問題に基づいてなされたものであり、スプールに回転抵抗を与えるドラグ機構を作動状態から非作動状態に切換える切換機構を設けた構成において、リール全体を大型化することなく、十分なドラグ力を発揮することが可能な魚釣用スピニングリールを提供することを目的とする。
【課題を解決するための手段】
【０００７】
上記した目的を達成するために、本発明に係る魚釣用スピニングリールは、スプール軸に設置され、釣糸が巻回されるスプールと、ハンドルの巻き取り操作で回転し、釣糸案内部を介して前記スプールに釣糸を巻回可能とするロータと、前記スプールとスプール軸との間に設けられ、前記スプールをドラグ作動状態とフリー状態に切換える切換機構と、を有する構成において、前記スプール軸の前端部にスプールフリー状態の回転抵抗力を調整するサブドラグ機構のサブドラグノブを配設し、前記サブドラグノブの径方向外方にドラグ作動状態のドラグ力を調整するメインドラグ機構のメインドラグノブを配設したことを特徴とする。
【０００８】
上記した構成の魚釣用スピニングリールでは、スプールとスプール軸との間に設けられる切換機構によって、スプール軸に装着されるスプールを、フリー回転状態、及びドラグ作動状態に切換えることが可能となっている。スプールがフリー回転状態のとき、スプールに対して補助的にドラグ力を生じさせるサブドラグ機構のサブドラグノブは、スプール軸の前端部に配設され、切換機構によってスプールをドラグ作動状態に切換えた際にスプールに対して所望のドラグ力を付与するメインドラグ機構のメインドラグノブは、サブドラグノブの径方向外方に配設されていることから、各ドラグ機構を配設するに際し、スプール前部のスペースを有効活用することが可能となり、スプール回りのコンパクト化が図れるようになる。
【発明の効果】
【０００９】
本発明によれば、スプールに回転抵抗を与えるドラグ機構を作動状態から非作動状態に切換える切換機構を設けた構成において、スプール回りを大型化することなく、十分なドラグ力を発揮することが可能な魚釣用スピニングリールが得られる。
【発明を実施するための最良の形態】
【００１０】
以下、本発明に係る魚釣用スピニングリールの実施形態について、添付図面を参照して説明する。
【００１１】
図１から図５は、本発明に係る魚釣用スピニングリールの第１の実施形態を示す図であり、図１は、魚釣用スピニングリールの内部構成を示す図（ドラグ作動状態）、図２は、スプールを前方から見た図、図３は、図１の主要部を拡大した図、図４は、図３のＡ−Ａ線に沿った断面図であり、（ａ）は、ドラグ作動状態を示す図、（ｂ）は、スプールフリー状態を示す図、そして、図５は、図３のＢ−Ｂ線に沿った断面図である。
【００１２】
魚釣用スピニングリールのリール本体１には、釣竿に装着されるリール脚１Ａが一体形成されており、その前方には、回転可能に支持され、釣糸案内部２ａを装着した一対のアーム部２Ａを具備するロータ２と、ロータ２の回転運動と同期して前後動可能に支持され、釣糸が巻回されるスプール３が配設されている。
【００１３】
リール本体１内には、ハンドル軸（駆動軸）４が回転可能に支持されており、その突出端部には、ハンドル５が取り付けられている。また、ハンドル軸４には、ハンドル軸４に取り付けられ、内歯が形成されたドライブギヤ７と、このドライブギヤ７に噛合すると共にハンドル軸４と直交する方向に延出し、内部に軸方向に延出する空洞部が形成されたピニオンギヤ９とを備えた巻き取り駆動機構が係合している。
【００１４】
前記ピニオンギヤ９は、軸受９ａ，９ｂを介してリール本体内に回転可能に支持されており、その先端側において固定部材９ｃによって前記ロータ２を固定し、ロータ２を一体回転するように連結している。そして、その空洞部には、ハンドル軸４と直交する方向に延出し、先端側に前記スプール３を装着したスプール軸３ａが軸方向に移動可能に挿通されている。また、前記ピニオンギヤ９には、スプール３（スプール軸３ａ）を前後往復動させるための公知の往復動装置１０が係合している。
【００１５】
前記往復動装置１０は、リール本体内に回転可能に支持され、スプール軸３ａと平行に延出する螺軸（ウォームシャフト）１２と、前記スプール軸３ａの後部に回転不能で軸方向移動可能に係合される摺動子１３とを備えている。前記螺軸１２の前端部には、前記ピニオンギヤ９と噛合する連動歯車１５が設けられており、前記ハンドル５を回転操作することで、螺軸１２は、前記ドライブギヤ７、ピニオンギヤ９及び連動歯車１５を介して回転駆動される。そして、前記螺軸１２の周面には、軸方向に沿って螺旋状のカム溝１２ａが形成されており、このカム溝１２ａに、前記摺動子１３に収容保持された係合ピン（図示せず）が係合することで、スプール軸３ａ（スプール３）は、ハンドル５の巻き取り操作により前後に往復動される。
【００１６】
また、リール本体１内には、ロータ２の逆回転を防止する逆転防止機構が設置されている。この逆転防止機構は、公知のように、前記ピニオンギヤ９の外周側に設置される転がり式の一方向クラッチ１６と、転がり式一方向クラッチの外輪の外周に回り止め固定されたラチェット１７とを備えており、リール本体１の後方側に設置された切換レバー１８を切換操作することで、ラチェット１７を回転可能／回転不能状態に切換え、これによりロータ２を正逆転可能状態／逆転防止状態に切換えるようになっている。
【００１７】
上記した構成により、ハンドル５を巻き取り操作すると、ロータ２は、ドライブギヤ７及びピニオンギヤ９を介して回転駆動され、かつ、スプール３は、ドライブギヤ７、ピニオンギヤ９及び往復動装置１０を介して前後方向に往復駆動され、スプール３には、回転するロータ２の釣糸案内部２ａを介して均等に釣糸が巻回される。
【００１８】
前記スプール３とスプール軸３ａとの間には、スプール３が釣糸繰り出し方向に回転した際、その回転に制動力を付与する公知のドラグ機構（メインドラグ機構）２０が設置されている。このドラグ機構２０は、スプール３とスプール軸３ａを所定の摩擦力で連結状態にして、スプール３のスプール軸３ａに対する回転に制動力を付与する構成となっている。
【００１９】
具体的には、ドラグ機構２０は、スプール３の内部空間領域（凹部３Ａ）に設置されており、スプール前端側に回転可能に支持された制動力調整用の調整ツマミ（メインドラグノブ）２０Ａと、この調整ツマミ２０Ａと後述する切換機構３０を構成する摩擦作動体３３との間に介在される制動部材２１と、を備えている。そして、前記摩擦作動体３３は、切換機構３０によって、スプール軸３ａに対して固定状態からフリー状態に切換えられるようになっている。
【００２０】
ここで、切換機構３０の構成について説明する。  
前記切換機構３０は、前記スプール軸３ａに対して回り止め固定されると共に、軸方向の移動が規制された円板状の支持部材３１と、この支持部材３１の前方側に配設され、支持部材３１に対して連結状態となる摩擦作動体３３と、前記支持部材３１と摩擦作動体３３との間に位置して両者の連結状態を継脱する継脱機構４０とを備えており、スプール３のドラグ作動状態時に、スプール３を釣糸の引き出し方向と反対方向に回転させることで切換機構３０の連結状態（スプール３とスプール軸３ａとの間の連結状態）を解除して、スプール３をフリー状態に切換えられるようになっている。
【００２１】
具体的には、切換機構３０を構成する摩擦作動体３３は、後述するように、ドラグ作動状態時に、スプール３を釣糸の引き出し方向と反対方向に回転させることで、前記支持部材３１との連結状態が解除されるように構成されており、スプール軸３ａに対してフリー回転可能に支持されている。このため、本実施形態では、スプール３そのものが、スプール３をフリー回転可能に切換えるための操作部材としての機能を備えている。
【００２２】
前記摩擦作動体３３は、図３に示すように、スプール軸３ａに対してフリー回転可能に支持される本体部３３Ａと、本体部３３Ａから前方に向けて延出する円筒部３３Ｂとを備えている。この場合、円筒部３３Ｂは、スプール３の凹部３Ａを規定する内周面３Ｂとの間、及びスプール軸３ａとの間に所定の空間が生じるような形状となっており、それぞれの空間内に、以下に詳述するように、ドラグ機構２０、及びサブドラグ機構２５が収容できるよう構成されている。
【００２３】
前記摩擦作動体３３の円筒部３３Ｂの外周と、スプール３の凹部３Ａとの間には、前記ドラグ機構２０を構成する前記制動部材２１が配設されている。制動部材２１は、ドラグ機構として一般的に知られているように、スプール３の凹部３Ａを規定する内周面３Ｂ、及び前記摩擦作動体３３の円筒部３３Ｂの外周面に対して回り止めされる複数枚のワッシャ、及び、各ワッシャの間に介在されるライニング材等を備えた構成となっており、前記調整ツマミ２０Ａを回転操作することで、軸方向に移動する押圧体２２が制動部材２１に対して所定の押圧力で当接し、これにより、制動部材２１を介して、スプール軸３ａに対して固定状態となった摩擦作動体３３とスプール３との間に所望の制動力を作用させる。
【００２４】
また、前記摩擦作動体３３の円筒部３３Ｂの内側の空間内に収容されるサブドラグ機構２５は、後述するように、スプール３がスプールフリー状態に切換えられても、スプール３に対して補助的にドラグ力を作用させることを可能にするものである。
【００２５】
具体的には、サブドラグ機構２５は、スプール軸３ａの前端部に配設され、スプール軸３ａに対して、回転可能でかつ軸方向に沿って摺動可能に支持されたる微調整ツマミ（サブドラグノブ）２５Ａと、この微調整ツマミ２５Ａの先端側に設けられた押圧部２７によって押圧される制動部材２６とを備えている。この場合、制動部材２６は、ドラグ機構として一般的に知られているように、スプール軸３ａ、及び前記摩擦作動体３３の円筒部３３Ｂの内側に対して回り止めされる複数枚のワッシャ、及び各ワッシャの間に介在されるライニング材等を備えた構成となっており、微調整ツマミ２５Ａを回転操作することで、微調整ツマミ２５Ａと一体形成された押圧部２７が制動部材２６に対して所定の押圧力で当接し、これにより、制動部材２６、摩擦作動体３３、及び前記制動部材２１を介して、スプール軸３ａとスプール３との間に、補助的に所望の制動力を作用させる。
【００２６】
上記したように、摩擦作動体３３の円筒部３３Ｂを利用して、その外周面側にドラグ機構２０の制動部材２１を配設し、また、その内周面側にサブドラグ機能２５の制動部材２６を設置しているため、スプール３の内部空間領域を効率的に利用して、両ドラグ機構を設置するようにしている。
【００２７】
このため、前記微調整ツマミ（サブドラグノブ）２５Ａは、スプール軸３ａの先端領域を覆うように配設することができ、かつ、調整ツマミ（メインドラグノブ）２０Ａは、その径方向外方で、微調整ツマミ（サブドラグノブ）２５Ａと略同一面となるように配設することができ、スプール回りのスペースを効率的に活用することが可能となる。
【００２８】
前記切換機構３０を構成する支持部材３１は、スプール軸３ａに対して回り止め固定されており、前記摩擦作動体３３との間に設置される継脱機構４０により、支持部材３１と摩擦作動体３３の連結状態を継脱するようにしている。
【００２９】
前記摩擦作動体３３の本体部３３Ａには、支持部材３１側に、輪帯状に形成された継脱部３４が固定部材（止めビス３４ａ）を介して固定されている。継脱部３４の外周には、所定間隔をおいて（本実施形態では、９０°間隔で４箇所）凹所３４ｂが形成されており、この凹所３４ｂ内に後述するストッパ５５の係合部５６が入り込むようになっている。この場合、継脱部３４の外周には、図４に示すように、ストッパの係合部が凹所３４ｂ内に案内され易いように、周方向に沿って案内部３４ｃを形成しておいても良い。
【００３０】
また、前記本体部３３Ａには、その中央部に、支持部材３１側に向けて突出する凸部３６が形成されており、その凸部の外周には、所定間隔をおいて（本実施形態では、９０°間隔で４箇所）径方向外方に突出する係合突起３６ａが形成されている。この係合突起３６ａは、以下に説明する継脱機構４０の作動部材に当て付くよう構成されている。
【００３１】
前記継脱機構４０は、図４に示すように、支持部材３１の摩擦作動体側の表面に、周方向に沿って支持される作動部材４２、連結部材４５、及びストッパ５５を備えている。
【００３２】
前記作動部材４２は、支持部４２ａを中心にして回動可能に支持されており、その作動片４３が、図４（ａ）の実線に示すように、前記係合突起３６ａの回転軌跡内に常時位置するように、バネ部材４２ｂによって付勢支持されている。
【００３３】
前記連結部材４５は、その両端側が揺動可能となるように、中央部において支持部４５ａを中心にして支持されており、その一端側の当接部４６に前記作動片４３が当接するようになっている。また、他端側には、図４（ａ）に示す状態から、支持部４５ａを中心にして反時計回り方向に回動された際、ストッパ５５の凸部５７に当接する作動部４７が形成されている。そして、連結部材４５は、支持部材３１との間に設けられる振分けバネ４８によって、図４（ａ）に示す状態（連結状態）と、図４（ｂ）に示す状態（解除状態）との間で振分け保持されるようになっている。
【００３４】
また、前記連結部材４５の当接部４６側には、復帰機構用の係合ピン５０が突設されている。この係合ピン５０は、支持部材３１に形成された長孔３１ａを介してリール本体側に向けて突出しており、連結部材４５が図４（ｂ）に示す解除状態に振分け保持された際、後述する復帰機構の復帰用突部６７の回転軌跡内に位置するようになっている。
【００３５】
前記ストッパ５５は、その両端側が揺動可能となるように、中央部において支持部５５ａを中心にして支持されており、その一端側に形成された係合部５６が、前記継脱部３４の外周に形成された凹所３４ｂに入り込むようになっている。また、他端側には、前記連結部材４５が、図４（ａ）に示す状態から支持部４５ａを中心にして反時計回り方向に回動された際、連結部材４５の作動部４７が当接するように凸部５７が形成されている。そして、ストッパ５５は、支持部材３１との間に設けられる一方向バネ５８によって、その係合部５６が前記継脱部３４の凹所３４ｂに入り込む方向に、常時、回動付勢されている。
【００３６】
上述したように、切換機構３０は、スプール軸３ａに対して回り止め固定される円板状の支持部材３１と、この支持部材３１の前方側に配設され、支持部材３１に対して連結状態となる摩擦作動体３３とを備えており、図４（ａ）に示すドラグ作動状態時にスプール３を釣糸の引き出し方向と反対方向（矢印Ｄ方向）に回転させることで、図４（ａ）に示した摩擦制動体３３と支持部材３１との連結状態を、図４（ｂ）に示すように解除するようになっている（スプールをフリー状態にする）。そして、図４（ｂ）に示すスプールフリー状態は、ハンドル５を巻き取り駆動した際、復帰機構６０によって、自動的に図４（ａ）に示すドラグ作動状態に復帰させるよう構成されている。
【００３７】
以下、この復帰機構６０の構成について説明する。
【００３８】
本実施形態では、ロータ２に一体形成される一対のアーム部２Ａとスプール軸３ａとの間に設置される公知の糸落ち防止部材（ラインガードとも称する）６１に関連して設けられている。
【００３９】
この糸落ち防止部材６１は、前記スプール軸３ａに対して回転可能に支持されると共に、スプール軸３ａに設けられた止め輪３ｄによって、軸方向に移動しないように位置決め保持されている。そして、糸落ち防止部材６１は、前記一対のアーム部２Ａのそれぞれの内面側に形成された長手溝２ｄに係合する係合部６２を具備しており、ロータ２が回転した際、ロータ２と共に一体回転し、かつスプール軸３ａの往復動に伴って軸方向に一体的に往復動し、スプール３に巻回される釣糸がスプール３内に入り込むこと、及びスプール軸３ａに絡み付くことを防止している。
【００４０】
前記糸落ち防止部材６１のドラグ機構側には、円筒状の支持部６１ａが突出形成されており、この支持部６１ａの中心部分でスプール軸３ａを挿通させている。そして、この支持部６１ａの径方向外方には、輪帯状の復帰体６５がＯリング６６を介して抜け止め保持されている。
【００４１】
前記復帰体６５のドラグ機構側には、所定間隔をおいて（本実施形態では、９０°間隔で４箇所）復帰用突部６７が突出形成されている。この復帰用突部６７は、糸落ち防止部材６１と共に一体回転し、上述した連結部材４５が図４（ｂ）に示すスプールフリー状態に振分け保持された際、連結部材４５の係合ピン５０に対して当て付くようになっている。
【００４２】
なお、復帰体６５、及び各復帰用突部６７には、係合ピン５０が復帰用突部６７の回転軌跡内に移動する際、デッドポイントが生じないように、ノンデッドポイント機構７０が設けられている。このノンデッドポイント機構７０は、係合ピン５０が復帰用突部６７の回転軌跡内に移動する際、係合ピン５０が復帰用突部６７に当て付いても移動できるように、復帰用突部６７の径方向内側に形成される傾斜面６７ａと、糸落ち防止部材６１に保持した復帰体６５を周方向に回転可能にするバネ部材６８によって構成されている。
【００４３】
前記バネ部材６８は、復帰体６５に、リール本体側に向けて突出形成された突片６５ａと糸落ち防止部材６１との間に介在されており、復帰体６５の周方向の回転を許容するように構成されている。すなわち、係合ピン５０の移動経路上に復帰用突部６７が位置していても、係合ピン５０が復帰用突部６７の径方向内側に形成される傾斜面６７ａに当接し、かつ復帰体６５がバネ部材６８の緩衝作用によって周方向に回転できることから、スプールフリー状態に移行するに際してデッドポイントが生じることはない。
【００４４】
上記した復帰機構６０の構成により、ハンドル５を巻き取り駆動した際、図４（ｂ）に示すスプールフリー状態から、図４（ａ）に示すドラグ作動状態に自動復帰される。
【００４５】
以上のように構成される魚釣用スピニングリールの作用について説明する。
【００４６】
通常、魚釣用スピニングリールは、ドラグ作動状態として使用される。このとき、スプール３、すなわち繰り出される釣糸には、ドラグ機構２０によって所定のドラグ力が作用した状態となる。この状態で、調整ツマミ２０Ａを回転操作することで、押圧体２２の制動部材２１に対する押圧力が可変されるため、スプール３に所望のドラグ力を作用させることができる。
【００４７】
なお、ドラグ作動状態では、図４（ａ）に示すように、摩擦作動体３３と、スプール軸３ａに固定された支持部材３１とは、支持部材３１側のストッパ５５の係合部５６が、摩擦作動体３３側の凹所３４ｂに入り込んでいることで連結状態となっており、スプール３に作用する回転力は、上記した制動部材２１とスプール軸３ａに固定された支持部材３１（摩擦制動体３３）との関係で、所望の制動力が作用する状態となる。
【００４８】
そして、図４（ａ）に示す状態から、スプール３を釣糸の引き出し方向と反対方向（矢印Ｄ方向）に回転すると、上記した継脱機構４０によって、スプールフリー状態（スプールにドラグ機構２０の制動力が作用しない状態）に切換えられる。
【００４９】
すなわち、図４（ａ）において、スプール３を矢印Ｄ方向に回転操作すると、摩擦作動体３３も同方向に回転する。このとき、その本体部３３Ａの凸部３６に形成されている係合突起３６ａが作動部材４２の作動片４３に当接し、作動部材４２をバネ部材４２ｂの付勢力に抗して、支持部４２ａを中心にして時計回り方向に回動させる。そして、作動部材４２の回動により、作動片４３は連結部材４５の一端側の当接部４６に当接し、連結部材４５は、支持部４５ａを中心にして反時計回り方向に回動される。これにより、連結部材４５の他端側の作動部４７がストッパ５５の凸部５７に当接し、ストッパ５５は、一方向バネ５８の付勢力に抗して支持部５５ａを中心にして時計回り方向に回動され、ストッパ５５の係合部５６は、摩擦作動体３３側の凹所３４ｂから外れる。なお、このとき連結部材４５は、振分けバネ４８によって、その位置が保持されているため、ストッパ５５の係合部５６の凹所３４ｂに対する離脱状態は維持される。
【００５０】
上記の継脱機構４０の作用により、支持部材３１と摩擦作動体３３との連結状態が解除されるため、スプール３は、スプール軸３ａに対してフリー回転状態となり、スプール３に釣糸繰り出し方向の力が作用しても、スプール３は、制動部材２１及び摩擦作動体３３と共に回転するだけとなる。すなわち、実釣時において、釣人は、単にスプール３を把持して釣糸繰り出し方向と反対となる矢印Ｄ方向に所定角度（係合突起３６ａが作動部材４２の作動片４３に当接する角度）回転操作するだけで、スプール３をフリー状態に切換操作することができる。
【００５１】
なお、上記したようなスプールフリー状態において、サブドラグ機構２５の微調整ツマミ２５Ａを回転操作することで、フリー状態になっているスプール３に対して、制動部材２６による補助的な制動力を作用させておくことも可能となる。また、上記したスプールフリー状態において、魚がかかった場合など、釣糸が繰り出されてスプール３が釣糸繰り出し方向（図４（ａ）の矢印Ｄと反対方向）に回転した際、上記した係合突起３６ａは、その回転に伴い作動部材４２の作動片４３に当接するものの、作動片４３はバネ部材４２ｂの付勢力に抗して点線で示す位置に逃げることができるため、その方向に支障なく回転することが可能となる。
【００５２】
そして、上記したスプールフリー状態において、ハンドル５を巻き取り操作すると、復帰機構６０を介して、継脱機構４０を、図４（ａ）に示す状態に自動復帰させることが可能となる。
【００５３】
上述したように、スプールフリー状態に切換える際、連結部材４５は、図４（ａ）に示す位置から図４（ｂ）に示す位置に回動される。このとき、連結部材４５に突設された係合ピン５０は、ロータ２の回転と共に一体回転する復帰体６５に形成された復帰用突部６７の回転軌跡内に移動する。なお、係合ピン５０が復帰用突部６７の回転軌跡内に移動する際、係合ピン５０の移動経路上に復帰用突部６７が位置していても、上述したノンデッドポイント機構７０によって、その移動を妨げることはない。
【００５４】
この状態でハンドル５を巻き取り操作してロータ３を釣糸巻き取り方向に回転させると、糸落ち防止部材６１も一体的に回転駆動される。この糸落ち防止部材６１には、復帰用突部６７が突設された復帰体６５が保持されており、復帰用突部６７は、糸落ち防止部材６７と共に、図４（ｂ）の矢印Ｄ１方向に回転駆動される。これにより、復帰用突部６７が係合ピン５０をキックし、連結部材４５を、支持部４５ａを中心にして時計回り方向に回動させ、連結部材４５の他端側の作動部４７は、ストッパ５５の凸部５７から離れる。なお、このとき連結部材４５は、振分けバネ４８によって、図４（ａ）に示す位置に保持される。
【００５５】
この結果、ストッパ５５は、一方向バネ５８の付勢力により支持部５５ａを中心にして反時計回り方向に回動され、ストッパ５５の係合部５６は、摩擦作動体３３側の凹所３４ｂに入り込み、図４（ａ）に示すように、摩擦作動体３３と、スプール軸３ａに固定された支持部材３１とは、連結状態となる。すなわち、切換機構は、上記した制動部材２１とスプール軸３ａに固定された支持部材３１との関係で、所望の制動力がスプールに作用するドラグ作動状態に切換復帰される。
【００５６】
上記したような切換機構３０を設置し、スプール３と一体回転する支持部材３１と、ドラグ機構２０（サブドラグ機構２５）が設置される摩擦作動体３３とを、継脱機構４０によって継脱するように構成したことで、スプール３の内部空間内において、ドラグ機構２０及びサブドラグ機構２５を効率的に設置することが可能になると共に、スプール回りを大型化することなく、十分なドラグ力を発揮させることが可能となる。これにより、リール全体をコンパクト化することが可能となる。
【００５７】
次に、本発明の第２の実施形態について説明する。  
図６及び図７は、本発明の第２の実施形態を示す図であり、図６は、スプール部分を拡大して示す図、図７は、図６のＢ−Ｂ線に沿った断面図であり、（ａ）は、ドラグ作動状態を示す図、（ｂ）は、スプールフリー状態を示す図である。なお、この実施形態では、前記実施形態と同一の機能を有する部分については、同一の参照符号を付し、その詳細な説明については、簡略ないしは省略する。
【００５８】
本実施形態では、切換機構を構成する継脱機構に、転がり式一方向クラッチを用いている。すなわち、本実施形態における切換機構３０は、その継脱機構４０として、摩擦作動体３３と支持部材３１との間に、後述する転がり式一方向クラッチ８０を介在させて、両者の連結状態を継脱するようにしている。また、本実施形態では、スプール軸３ａに、軸方向に一体的に移動可能であると共に回転可能に支持された操作部材１００を設け、スプール３のドラグ作動状態時に、操作部材１００を回転操作することで、切換機構３０の連結状態（スプール３とスプール軸３ａとの間の連結状態）を解除してスプール３をフリー状態に切換可能とするよう構成されている。
【００５９】
本実施形態におけるドラグ機構２０は、スプール３の凹部３Ａを規定する内周面３Ｂ、及び前記摩擦作動体３３の円筒部３３Ｂの外周面に対して回り止めされる複数枚のワッシャ、及び、各ワッシャの間に介在されるライニング材等を備えた構成となっている。そして、第１実施形態と同様、調整ツマミ（メインドラグノブ）２０Ａを回転操作することで、軸方向に移動可能なナット２３ａ及び付勢バネ２３ｂを介して軸方向に移動する押圧体２２を制動部材２１に対して所定の押圧力で当接させ、これにより、制動部材２１を介して、スプール軸３ａに対して固定状態となった摩擦作動体３３とスプール３との間に所望の制動力を作用させるようになっている。
【００６０】
また、前記摩擦作動体３３の円筒部３３Ｂの内側の空間内に収容されるサブドラグ機構２５は、スプール前端側に回転可能に支持された調整ツマミ２０Ａの径方向内側に回転可能に支持され、スプール軸３ａに対して、回転可能でかつ軸方向に沿って摺動可能に支持された微調整ツマミ（サブドラグノブ）２５Ａと、この微調整ツマミ２５Ａの先端側に設けられた押圧部２７によって押圧される制動部材２６とを備えている。この場合、制動部材２６は、ドラグ機構として一般的に知られているように、前記摩擦作動体３３の円筒部３３Ｂの底面に対して押圧付勢される複数枚のスプリングワッシャ、及びライニング材等を備えた構成となっており、微調整ツマミ２５Ａを回転操作することで、軸方向に移動可能なナット部材２７ａ及び付勢バネ２７ｂを介して前記押圧部２７を制動部材２６に対して所定の押圧力で当接させる。これにより、制動部材２６、摩擦作動体３３、及び前記制動部材２１を介して、スプール軸３ａとスプール３との間に、補助的に所望の制動力を作用させる。
【００６１】
また、切換機構を構成する継脱機構に用いられる転がり式一方向クラッチ８０は、支持部材３１と摩擦作動体３３との間に介在されるようになっている。
【００６２】
具体的に、摩擦作動体３３の本体部３３Ａには、スプール軸３ａに対して回転可能に配設される軸部３３ｄが形成されており、支持部材３１には、ドラグ機構側に向けて延出する円筒部３１ｄが形成されており、前記転がり式一方向クラッチ８０は、軸部３３ｄと円筒部３１ｄとの間に介在されている。なお、転がり式一方向クラッチ８０は、公知のように、軸部３３ｄと一体化される内輪（本実施形態では軸部３３ｄが内輪とされる）と、円筒部３１ｄに嵌入される外輪８０ａと、前記内輪３３ｄと外輪８０ａとの間で転がり部材８０ｂを保持する保持器８０ｃとを備えた構成となっている。
【００６３】
前記転がり部材８０ｂは、保持器８０ｃによって、外輪８０ａの内周側に形成された楔領域とフリー回転領域のいずれかに位置付けられ、転がり部材８０ｂが楔領域に移動されると、内輪と外輪（軸部３３ｄと円筒部３１ｄ）は一体化され、摩擦作動体３３と支持部材３１は連結状態となる。また、転がり部材８０ｂがフリー回転領域に移動されると、内輪と外輪（軸部３３ｄと円筒部３１ｄ）はフリーとなり、摩擦作動体３３と支持部材３１との連結状態は解除される（フリー回転状態に切換えられる）。
【００６４】
図７に示すように、前記転がり式一方向クラッチ８０には、保持器８０ｃを一体回転させる作動アーム８１（保持器と一体形成されていても良いし、別体であっても良い）が設けられており、この作動アーム８１を揺動させることで、保持器に保持される転がり部材を、楔領域又はフリー回転領域に移動できるよう構成されている。この作動アーム８１には、係合孔８２が形成されており、この係合孔８２には、以下に説明する作動カム８５に突出形成された第３作動突部８５ｃが係合されている。
【００６５】
前記支持部材３１には、継脱機構４０を構成する作動カム８５が支軸８５Ａを中心にして回動可能に支持されている。この作動カム８５には、リール本体側に向けて第１作動突部８５ａが突出形成されており、この第１作動突部８５ａには、操作部材１００に設けられる係合突部１００ａが当接可能となっている。
【００６６】
ここで、操作部材１００の構成について説明する。  
操作部材１００は、スプール軸３ａに、軸方向に一体的に移動可能であると共に回転可能に支持されている。すなわち、図６に示すように、スプール軸３ａに対してフリー回転可能に挿通されると共に、止め輪３ｄによって軸方向の移動が規制されて前記支持部材３１との間に介在される略円板形状の本体部１００Ａと、この本体部１００Ａからリール本体側に向けて延出し、スプール３のスカート３Ｃの後方側で、スカートの表面と略面一状に配される円筒状の操作部１００Ｂとを備えている。
【００６７】
釣人は、後述する切換操作を行う際には、円筒状の操作部１００Ｂを把持し、この部分を回転操作する。このため、操作部１００Ｂの露出面には、回転操作するに際して、滑りが生じないように、周方向に沿って凹凸部（ローレット目などで構成されていても良い）１００ｃが形成されている。
【００６８】
なお、上記した操作部材１００の本体部１００Ａは、スプール軸３ａに対してフリー回転可能となるように配設されていても良いが、図に示すように、スプール軸３ａの外周面に周方向に沿って凹凸３ｅを形成しておき、この部分に、バネ１０３によって付勢される係合突起１０４を配した構成であっても良い。このようにすることで、操作部材１００の回転操作に対して、適度な節度感を与えることができ、また、操作部材１００が不用意に回転してしまうことが抑制される。
【００６９】
前記本体部１００Ａには、その径方向外側において、ドラグ機構側に向けて係合突部１００ａが突出形成されており、操作部材１００を回転操作した際、前記作動カム８５に形成された第１作動突部８５ａと当接可能となっている。この場合、本実施形態では、係合突部１００ａは、略９０°間隔で４箇所形成されている。
【００７０】
また、前記本体部１００Ａには、係合突部１００ａの径方向内側において、ドラグ機構側に向けて復帰用突部（復帰体）１００ｄが突出形成されている。この復帰用突部１００ｄは、スプール３を、フリー状態から、ドラグ作動状態に復帰させるための復帰機構１１０を構成するものであり、本実施形態では、略９０°間隔で４箇所形成されており、スプールフリー状態時において、後述する復帰用連結部材９０の係合ピン９５に当接可能となっている。なお、復帰用突部１００ｄには、回転した際、係合ピン９５を径方向外側に向けて案内するように、周方向の両側に案内用の傾斜面１００ｅが形成されている。
【００７１】
そして、前記作動カム８５には、支軸８５Ａを中心として前記第１作動突部８５ａと対向する位置に第２作動突部８５ｂが突出形成されている。この第２作動突部８５ｂは、支持部材３１に、支持部９０ａを中心にして回動可能に支持され、前記復帰機構１１０を構成する復帰用連結部材９０の一端側に形成された係合部９１に当接されている。この場合、復帰用連結部材９０は、その一端側に形成された係合部９１が、常時作動カム８５の第２作動部８５ｂに当て付くように、付勢バネ９４によって回動付勢されている。
【００７２】
また、前記復帰用連結部材９０の他端側には、リール本体側に向けて、係合ピン９５が突出形成されており、この係合ピン９５は、支持部材３１に形成された長溝３１ｅに入り込んで、支持部材３１の裏面から突出している。この係合ピン９５は、復帰用連結部材９０が、図７（ａ）に示す状態から支軸９０ａを中心にして時計回り方向に回動されると、図７（ｂ）に示すように、前記操作部材１００の本体部１００Ａに形成された復帰用突部１００ｄの回転軌跡内に移動する。
【００７３】
さらに、前記作動カム８５には、前記転がり式一方向クラッチ８０に設けられた作動アーム８１の係合孔８２内に位置するように、第３作動突部８５ｃが形成されている。この第３作動突部８５ｃは、作動カム８５が、操作部材１００の係合突部１００ａの当接によって反時計回り方向に回動されると、作動アーム８１を図７（ｂ）に示す位置に回動させ、転がり式一方向クラッチ８０の転がり部材８０ｂをフリー回転領域に移動させる。
【００７４】
なお、前記作動カム８５には、支持部材３１との間に振分けバネ９７が設置されており、作動カム８５を、図７（ａ）に示す位置、図７（ｂ）に示す位置に振分け保持する。
【００７５】
以上のように構成される魚釣用スピニングリールによれば、ドラグ作動状態では、図７（ａ）に示すように、摩擦作動体３３と、スプール軸３ａに固定された支持部材３１とは、前記転がり式一方向クラッチ８０の楔作用によって連結された状態となっており、スプール３に作用する釣糸繰り出し方向の回転力は、上記した制動部材２１とスプール軸３ａに固定された支持部材３１との関係で、所望の制動力が作用する状態となる。
【００７６】
そして、図７（ａ）に示す状態から、操作部材１００を一方向（釣糸の引き出し方向と反対方向；矢印Ｄ方向）に回転操作すると、上記した継脱機構４０によって、スプールフリー状態（スプールにドラグ機構２０の制動力が作用しない状態）に切換えられる。
【００７７】
すなわち、図７（ａ）において、操作部材１００（操作部１００Ｂ）を矢印Ｄ方向に回転操作すると、本体部１００Ａに形成された係合突部１００ａが作動カム８５の第１作動突部８５ａに当接し、作動カム８５を、支軸８５Ａを中心にして反時計回り方向に回動させる。そして、作動カム８５が振分けバネ９７のデッドポイントを超えると、図７（ｂ）に示す位置に保持され、転がり式一方向クラッチ８０は、第３作動突部８５ｃ及び作動アーム８１によって、転がり部材８０ｂがフリー回転領域に移動し、これにより、摩擦作動体３３と、スプール軸３ａに固定された支持部材３１との連結状態は解除されて、スプール３はフリー状態に切換えられる。
【００７８】
スプールフリー状態では、前記復帰用連結部材９０に突出形成された係合ピン９５は、復帰用連結部材９０の回動により、作動部材１００の本体部１００Ａに形成された復帰用突部１００ｄの回転軌跡内に移動する。また、このようなスプールフリー状態において、サブドラグ機構２５の微調整ツマミ２５Ａを回転操作することで、フリー状態になっているスプール３に対して、制動部材２６による補助的な制動力を作用させておくことも可能となる。
【００７９】
そして、実釣時において、上記のようなスプールフリー状態からドラグ作動状態に復帰させる場合は、操作部材１００の操作部１００Ｂを回転操作（矢印Ｄ，Ｄ１のいずれの方向に回転操作しても良い）する。操作部材１００を回転操作すると、復帰用突部１００ｄも一体的に回転され、周方向の両側に設けられた案内用の傾斜面１００ｅが係合ピン９５をキックし、復帰用連結部材９０を、支持部９０ａを中心にして反時計回り方向に回動させる。これにより、復帰用連結部材９０の係合部９１は、第２作動突部８５ｂを介して作動カム８５を、支持部８５Ａを中心にして時計回り方向に回動させる。
【００８０】
そして、作動カム８５が振分けバネ９７のデッドポイントを超えると、図７（ａ）に示す位置に保持され、転がり式一方向クラッチ８０は、第３作動突部８５ｃ及び作動アーム８１によって、転がり部材８０ｂが楔領域に移動し、これにより、摩擦作動体３３と、スプール軸３ａに固定された支持部材３１とは連結状態（ドラグ作動状態）に復帰される。
【００８１】
上記したような切換機構３０の構成においても、スプール軸方向に沿って進退するような操作部材を設ける必要がなくなり、ドラグ機構２０は勿論、サブドラグ機構２５についても設置スペースに制約が生じることはない。この結果、十分なドラグ力を発揮することができ、スプール回りを大型化するようなこともない。また、操作部材１００は、ドラグノブ２０Ａ，２５Ａとは離れた位置に設置されているので、ドラグを調整する際に邪魔になることはなく、その操作性の向上が図れるようになる。
【００８２】
さらに、本実施形態では、切換機構３０を構成する継脱機構４０に、転がり式一方向クラッチ８０を用いているため、切換機構全体の構造が簡略化されると共に、スプール内部に設置される継脱機構の組み込み性の向上が図れるようになる。また、復帰作動体の構成も簡略化することが可能となる。
【００８３】
図８から図１０は、本発明に係る魚釣用スピニングリールの第３の実施形態を示す図であり、図８は、スプール部分を拡大して示す図、図９は、図８のＡ−Ａ線に沿った断面図であり、（ａ）は、ドラグ作動状態を示す図、（ｂ）は、スプールフリー状態を示す図、図１０（ａ）は、図８のＢ−Ｂ線に沿った断面図、図１０（ｂ）は、図８のＣ−Ｃ線に沿った断面図、そして、図１０（ｃ）は、図８のＤ−Ｄ線に沿った断面図である。
【００８４】
本実施形態の操作部材１００は、第１の実施形態で示した公知の糸落ち防止部材６１（ラインガードとも称する）の本体６１Ａの外周面に回転可能に支持されており、スプール３を、ドラグ作動状態からフリー状態に切換え、さらには、スプール３を、ドラグ作動状態に復帰させる復帰機構としての機能を備えている。この場合、復帰機構１１０は、操作部材１００の回転操作以外にも、ハンドル５の巻き取り回転操作によって、ドラグ作動状態に復帰できるよう構成されている。
【００８５】
前記操作部材１００は、前記糸落ち防止部材６１の本体６１Ａの周囲を囲繞するように回転可能に支持される円筒状の本体部１００Ａと、この本体部１００Ａからリール本体側に向けて延出し、スプール３のスカート３Ｃの後方側で、スカートの表面と略面一状に配される円筒状の操作部１００Ｂとを備えている。従って、操作部材１００は、スプール３が前後動した際、糸落ち防止部材６１と共に一体的に前後動される。
【００８６】
また、前記本体部１００Ａの一部１００Ａ´は、図１０（ｃ）に示すように、糸落ち防止部材６１の本体６１Ａに形成される円弧状の挿通孔６１ｃを挿通しており、挿通孔６１ｃから突出する突出端と本体６１Ａとの間に配設される軸方向付勢バネ１１２によって、操作部材１００は、常時、リール本体側に向けて付勢された状態となっている。
【００８７】
さらに、本体部１００Ａは、糸落ち防止部材６１の本体６１Ａに対して、周方向付勢バネ１１５を介在させることで、所定の角度内で一体回転可能に支持されている。すなわち、図１０（ｂ）に示すように、本体６１Ａの外周領域の一部には、周方向に沿って円弧状の凹所６１ｄが形成されており、この凹所６１ｄ内に操作部材１００の本体部１００Ａに形成された突片１００ｆを配設して周方向付勢バネ１１５を介在させている。
【００８８】
これにより、操作部材１００は、糸落ち防止部材６１の本体６１Ａと一体的に回転できる構成となっており、糸落ち防止部材６１が釣糸巻き取り方向に回転した際、後述するように、操作部材１００を介して、スプールをドラグ作動状態に復帰させることが可能となっている。
【００８９】
前記操作部材１００の本体部１００Ａには、その径方向外側において、ドラグ機構側に向けて係合突部１００ａが突出形成されており、操作部材１００を、軸方向付勢バネ１１２の付勢力に抗してドラグ機構側にシフトし、かつ回転操作した際に、前記作動カム８５に形成された第１作動突部８５ａと当接可能となっている。
【００９０】
また、前記本体部１００Ａには、係合突部１００ａの径方向内側において、ドラグ機構側に向けて復帰用突部（復帰体）１００ｄが突出形成されている。この復帰用突部１００ｄは、スプール３を、フリー状態から、ドラグ作動状態に復帰させるための復帰機構１１０を構成するものであり、スプールフリー状態時において、復帰用連結部材９０の係合ピン９５に当接可能となっている。
【００９１】
以上のように構成される切換機構３０では、図９（ａ）に示す状態から、操作部材１００の操作部１００Ｂを把持し、軸方向付勢バネ１１２の付勢力に抗して、操作部材１００をドラグ機構側にシフトし、この状態で、周方向付勢バネ１１５の付勢力に抗して図９（ａ）の矢印Ｄ方向に回転操作することで、操作部材１００の係合突部１００ａを作動カム８５の第１作動突部８５ａに当接させ、スプール３をフリー状態に切換える。
【００９２】
そして、上記のように、スプールフリー状態に切換操作した後、操作部材１００を離すと、操作部材１００は、軸方向付勢バネ１１２によってリール本体側にシフトし、かつ周方向付勢バネ１１５によって糸落ち防止部材６１の本体６１Ａに対して図１０（ｂ）に示す位置に戻される。
【００９３】
スプールをフリー状態からドラグ作動状態に復帰させる復帰機構１１０は、ハンドル５の巻き取り回転操作によって、ドラグ作動状態に復帰できるよう構成されている。
【００９４】
すなわち、図９（ｂ）に示すスプールフリー状態において、ハンドル５を巻き取り操作すると、糸落ち防止部材６１は、図１０（ａ）（ｂ）の矢印Ｄ１方向に回転することから、それと共に一体回転する操作部材１００に形成された復帰用突部（復帰体）１１０ｄが係合ピン９５をキックし、復帰用連結部材９０を、支持部９０ａを中心にして反時計回り方向に回動させる。これにより、復帰用連結部材９０の係合部９１は、第２作動突部８５ｂを介して作動カム８５を、支持部８５ａを中心にして時計回り方向に回動させる。
【００９５】
そして、作動カム８５が振分けバネ９７のデッドポイントを超えると、図９（ａ）に示す位置に保持され、転がり式一方向クラッチ８０は、第３作動突部８５ｃ及び作動アーム８１によって、転がり部材８０ｂが楔領域に移動し、これにより、摩擦作動体３３と、スプール軸３ａに固定された支持部材３１とは連結状態（ドラグ作動状態）に自動復帰される。
【００９６】
また、復帰機構１１０は、上記したハンドル５の巻き取り操作以外にも、操作部材１００の操作部１００Ｂを把持して、図９（ｂ）の矢印Ｄ１方向に回転操作しても、スプール３をドラグ作動状態に自動復帰させることができる。すなわち、操作部材１００を矢印Ｄ１方向に回転させると、それに形成された復帰用突部１００ｄが一体的に回転して係合ピン９５をキックし、復帰用連結部材９０を、支持部９０ａを中心にして反時計回り方向に回動させる。そして、作動カム８５が振分けバネ９７のデッドポイントを超えると、図９（ａ）に示す位置に保持され、摩擦作動体３３と、スプール軸３ａに固定された支持部材３１とは連結状態（ドラグ作動状態）に自動復帰される。
【００９７】
このように、本発明は、スプール３の後方に位置する操作部材１００の操作部１００Ｂを回転操作すること、及びハンドル５を巻き取り方向に回転駆動することで、ドラグ作動状態に自動復帰できるような構成であっても良い。
【００９８】
以上、本発明の実施形態について説明したが、本発明は、上記した実施形態に限定されることはなく、種々変形することが可能である。
【００９９】
本発明は、スプールとスプール軸との間に、スプールをドラグ作動状態とフリー状態に切換える切換機構を設けた構成において、スプール軸の前端部にサブドラグ機構２５のサブドラグノブ２５Ａを配設し、かつサブドラグノブの径方向外方にドラグ機構２０のメインドラグノブ２０Ａを配設した構成であれば良く、切換機構３０、継脱機構４０の構成については、適宜変形することが可能である。この場合、上記した実施形態のように、ドラグ機構２０を構成する制動部材２１、サブドラグ機構２５を構成する制動部材２６を、摩擦作動体３３を介して、径方向の内側及び外側に配設することで、スプールの内部空間を効率的に活用することが可能となる。
【０１００】
また、切換機構を切換操作する操作部材の配置位置や構成についても種々変形することが可能である。
【図面の簡単な説明】
【０１０１】
【図１】本発明に係る魚釣用スピニングリールの第１の実施形態を示す図であり、内部構成を示す図（ドラグ作動状態）。
【図２】スプールを前方から見た図。
【図３】図１の主要部を拡大した図。
【図４】図３のＡ−Ａ線に沿った断面図であり、（ａ）は、ドラグ作動状態を示す図、（ｂ）は、スプールフリー状態を示す図。
【図５】図３のＢ−Ｂ線に沿った断面図。
【図６】本発明の第２の実施形態を示す図であり、スプール部分を拡大して示す図。
【図７】図６のＣ−Ｃ線に沿った断面図であり、（ａ）は、ドラグ作動状態を示す図、（ｂ）は、スプールフリー状態を示す図。
【図８】本発明の第３の実施形態を示す図であり、スプール部分を拡大して示す図。
【図９】図８のＡ−Ａ線に沿った断面図であり、（ａ）は、ドラグ作動状態を示す図、（ｂ）は、スプールフリー状態を示す図。
【図１０】（ａ）は、図８のＢ−Ｂ線に沿った断面図、（ｂ）は、図８のＣ−Ｃ線に沿った断面図、そして、（ｃ）は、図８のＤ−Ｄ線に沿った断面図。
【符号の説明】
【０１０２】
１  リール本体
２  ロータ
３  スプール
３ａ  スプール軸
２０  ドラグ機構
２０Ａ  調整ツマミ（メインドラグノブ）
２５  サブドラグ機構
２５Ａ  微調整ツマミ（サブドラグノブ）
３０  切換機構
３１  支持部材
３３  摩擦作動体
４０  継脱機構
【図１】
2009195166.tif 000003
【図２】
2009195166.tif 000004
【図３】
2009195166.tif 000005
【図４】
2009195166.tif 000006
【図５】
2009195166.tif 000007
【図６】
2009195166.tif 000008
【図７】
2009195166.tif 000009
【図８】
2009195166.tif 000010
【図９】
2009195166.tif 000011
【図１０】
2009195166.tif 000012